【手続補正書】
【提出日】平成19年5月7日(2007.5.7)
【手続補正１】
【補正対象書類名】明細書
【補正対象項目名】特許請求の範囲
【補正方法】変更
【補正の内容】
【特許請求の範囲】
【請求項１】
半導体メモリカードからオーディオ情報とテキスト情報とを読み出して再生する再生装置であって、
前記半導体メモリカードは、
オーディオ情報と、前記オーディオ情報に対応して再生されるテキスト情報とを対応付けて格納し、
前記テキスト情報は、
（１）テキスト情報が１バイト文字コード列のみからなる、
（２）テキスト情報が２バイト文字コード列のみからなる、
（３）テキスト情報が１バイト文字コード列および２バイト文字コード列からなる、
の３つの格納タイプのいずれかであり、
固定サイズのテキスト記憶領域に格納される１バイト文字コード列および／または２バイト文字コード列と、１バイト文字コード列の第１終端コード、および、２バイト文字コード列の第２終端コードからなるとともに、
前記１バイト文字コード列、前記１バイトの第１終端コード、前記２バイト文字コード列、前記２バイトの第２終端コードの順番にて配置され、
前記１バイト文字コード列は、項目の種類を示す第１の標識により区切られ、
前記２バイト文字コード列は、項目の標識を示す第２の標識により区切られ、
前記再生装置は、
読み出し手段、再生手段、表示手段、表示タイプ情報保持手段、格納タイプ判別手段、識別情報保持手段、制御手段を備え、
前記読み出し手段は、前記半導体メモリカードから、再生すべき前記オーディオ情報と前記テキスト情報とを読み出し、
前記再生手段は、読み出された前記オーディオ情報を再生し、
前記表示手段は、読み出された前記１バイト文字コード列または前記２バイト文字コード列を表示し、
前記表示タイプ情報保持手段は、表示タイプ情報を保持し、
前記表示タイプ情報は、
（ａ）前記再生手段が１バイト文字コード列のみを表示可能、
（ｂ）前記再生手段が２バイト文字コード列のみを表示可能、
（ｃ）前記再生手段が１バイト文字コード列および２バイト文字コード列を表示可能、
の３タイプのいずれかであることを示し、
前記格納タイプ判別手段は、読み出された前記テキスト情報の内容に応じて、前記テキスト情報が前記（１）〜（３）のいずれの格納タイプであるかを判別し、
前記識別情報保持手段は、前記テキスト情報の項目の種類ごとの識別情報を保持し、
前記制御手段は、前記表示タイプ情報および判別された前記格納タイプに応じて、前記テキスト情報の前記１バイト文字コード列または前記２バイト文字コード列を前記識別情報とともに前記表示手段に表示させる、再生装置。
【請求項２】
前記再生装置はさらに、
前記表示手段で表示される１バイト文字コード列または２バイト文字コード列の項目ごとの区切りを示す情報を保持する区切り情報格納手段を備え、
前記制御手段は、前記項目の内容と項目の内容との間に、前記区切りを示す情報を表示するように前記表示手段を制御する、請求項１記載の再生装置。
【手続補正２】
【補正対象書類名】明細書
【補正対象項目名】０００５
【補正方法】変更
【補正の内容】
【０００５】
【課題を解決するための手段】
本発明は、半導体メモリカードからオーディオ情報とテキスト情報とを読み出して再生する再生装置であって、前記半導体メモリカードは、オーディオ情報と、前記オーディオ情報に対応して再生されるテキスト情報とを対応付けて格納し、前記テキスト情報は、（１）テキスト情報が１バイト文字コード列のみからなる、（２）テキスト情報が２バイト文字コード列のみからなる、（３）テキスト情報が１バイト文字コード列および２バイト文字コード列からなる、の３つの格納タイプのいずれかであり、固定サイズのテキスト記憶領域に格納される１バイト文字コード列および／または２バイト文字コード列と、１バイト文字コード列の第１終端コード、および、２バイト文字コード列の第２終端コードからなるとともに、前記１バイト文字コード列、前記１バイトの第１終端コード、前記２バイト文字コード列、前記２バイトの第２終端コードの順番にて配置され、前記１バイト文字コード列は、項目の種類を示す第１の標識により区切られ、前記２バイト文字コード列は、項目の標識を示す第２の標識により区切られ、前記再生装置は、読み出し手段、再生手段、表示手段、表示タイプ情報保持手段、格納タイプ判別手段、識別情報保持手段、制御手段を備え、前記読み出し手段は、前記半導体メモリカードから、再生すべき前記オーディオ情報と前記テキスト情報とを読み出し、前記再生手段は、読み出された前記オーディオ情報を再生し、前記表示手段は、読み出された前記１バイト文字コード列または前記２バイト文字コード列を表示し、前記表示タイプ情報保持手段は、表示タイプ情報を保持し、前記表示タイプ情報は、（ａ）前記再生手段が１バイト文字コード列のみを表示可能、（ｂ）前記再生手段が２バイト文字コード列のみを表示可能、（ｃ）前記再生手段が１バイト文字コード列および２バイト文字コード列を表示可能、の３タイプのいずれかであることを示し、前記格納タイプ判別手段は、読み出された前記テキスト情報の内容に応じて、前記テキスト情報が前記（１）〜（３）のいずれの格納タイプであるかを判別し、前記識別情報保持手段は、前記テキスト情報の項目の種類ごとの識別情報を保持し、前記制御手段は、前記表示タイプ情報および判別された前記格納タイプに応じて、前記テキスト情報の前記１バイト文字コード列または前記２バイト文字コード列を前記識別情報とともに前記表示手段に表示させる、再生装置である。
【手続補正３】
【補正対象書類名】明細書
【補正対象項目名】００８２
【補正方法】変更
【補正の内容】
【００８２】
【発明の効果】
本発明は、半導体メモリカードからオーディオ情報とテキスト情報とを読み出して再生する再生装置であって、前記半導体メモリカードは、オーディオ情報と、前記オーディオ情報に対応して再生されるテキスト情報とを対応付けて格納し、前記テキスト情報は、（１）テキスト情報が１バイト文字コード列のみからなる、（２）テキスト情報が２バイト文字コード列のみからなる、（３）テキスト情報が１バイト文字コード列および２バイト文字コード列からなる、の３つの格納タイプのいずれかであり、固定サイズのテキスト記憶領域に格納される１バイト文字コード列および／または２バイト文字コード列と、１バイト文字コード列の第１終端コード、および、２バイト文字コード列の第２終端コードからなるとともに、前記１バイト文字コード列、前記１バイトの第１終端コード、前記２バイト文字コード列、前記２バイトの第２終端コードの順番にて配置され、前記１バイト文字コード列は、項目の種類を示す第１の標識により区切られ、前記２バイト文字コード列は、項目の標識を示す第２の標識により区切られ、前記再生装置は、読み出し手段、再生手段、表示手段、表示タイプ情報保持手段、格納タイプ判別手段、識別情報保持手段、制御手段を備え、前記読み出し手段は、前記半導体メモリカードから、再生すべき前記オーディオ情報と前記テキスト情報とを読み出し、前記再生手段は、読み出された前記オーディオ情報を再生し、前記表示手段は、読み出された前記１バイト文字コード列または前記２バイト文字コード列を表示し、前記表示タイプ情報保持手段は、表示タイプ情報を保持し、前記表示タイプ情報は、（ａ）前記再生手段が１バイト文字コード列のみを表示可能、（ｂ）前記再生手段が２バイト文字コード列のみを表示可能、（ｃ）前記再生手段が１バイト文字コード列および２バイト文字コード列を表示可能、の３タイプのいずれかであることを示し、前記格納タイプ判別手段は、読み出された前記テキスト情報の内容に応じて、前記テキスト情報が前記（１）〜（３）のいずれの格納タイプであるかを判別し、前記識別情報保持手段は、前記テキスト情報の項目の種類ごとの識別情報を保持し、前記制御手段は、前記表示タイプ情報および判別された前記格納タイプに応じて、前記テキスト情報の前記１バイト文字コード列または前記２バイト文字コード列を前記識別情報とともに前記表示手段に表示させる、再生装置である。